(57)【要約】【課題】食事をする時、本体１が膝、胸から外れにくく、食べ溢した飲食物や飛び散ったつゆで衣服が汚れるのを防ぎ、食べ溢した飲食物で床が汚れるのを防ぎ、指の汚れが拭取れる手段を一体にまとめて設け、安くて簡単で誰でも使え、清潔、安全、快適で便利なナプキンを提供することを課題とする。【解決手段】上端部に一対の紐１６、１７、下端部にポケット１５、左端部と右端部に指拭き１１、１２、をなすミシン目を設け、一対の紐１６、１７を首の後ろで結着して外れにくくし、ポケット１５で食べ溢しを収納し、指拭き１１、１２で指の汚れを拭取り、食事が終わればポケット１５をゴミ袋に使用できるナプキン本体１の素材は使い捨てができる紙、不織布などで、デザインは自在である。【選択図】図１
2005312867.tif 000002
【特許請求の範囲】
【請求項１】
本体の上端部に紐、下端部にポケット、左端部と右端部に指拭きを設けてなることを特徴とするナプキン。
【請求項２】
前記紐は、本体の上端部を挟む両辺の縁を切離して一対になることを特徴とする請求項１記載のナプキン。
【請求項３】
前記ポケットは、袋返してなることを特徴とする請求項１記載のナプキン。
【請求項４】
前記指拭きは、複数の切込みを設けてなること特徴とする請求項１記載のナプキン。
【発明の詳細な説明】
【技術分野】
【０００１】  この発明は、人が食事をするのに用いるナプキンの機能に関する。
【背景技術】
【０００２】  従来、人が食事で用いるナプキンの機能は、図３に示すように、本体１は四角形に作られ人の膝、胸を覆い、食べ溢した飲食物や飛び散ったつゆで衣服が汚れるのを防ぐものとテーブルに常備されて指に付着した汚れを拭取るものが一般的である。
【発明の開示】
【発明が解決しようとする課題】
【０００３】  しかしながら、以上の技術によれば、本体が膝、胸から外れやすく、食べ溢した飲食物や飛び散ったつゆで衣服を汚し困る人が多かった。外食で麺類の需要が多い今日、特につゆが飛び散った後の衣服はいくら拭取ってもしみが残り素材や縫製によっては洗濯も容易ではなかった。食べ溢した飲食物は床を汚し滑る危険があり、指の汚れを拭取ったナプキンは丸められてテーブルの隅に放置されて見苦しく衛生的でなかった。【０００４】  そこで、この発明は、本体を膝、胸から外れにくくして食べ溢した飲食物や飛び散ったつゆで衣服が汚れるのを防ぐと共に床が汚れることを防ぎ、加えて、指の汚れを拭取る手段を設け、何時でも誰でも安心して使え、清潔、安全、快適で安くて簡単、便利なナプキンを提供することを課題とする。
【課題を解決するための手段】
【０００５】  以上の課題を解決するために、第一発明は、本体の上端部に紐、下端部にポケット、左端部と右端部に指拭きを設けてなることを特徴とするナプキンである。
また、第二発明は、本体の上端部に紐を設け、この紐は、本体の上端部を挟む両辺の縁を切離して一対になることを特徴とするナプキンである。【０００６】  また、第三発明は、本体の下端部にポケットを設け、このポケットは、本体の下端部を袋返してなることを特徴とするナプキンである。
また、第四発明は、本体の左端部と右端部に指拭きを設け、この指拭きは複数の切込みを設けてなることを特徴とするナプキンである。
【発明の効果】
【０００７】  第一発明、または第二発明、第三発明、第四発明によれば、ナプキン本体に、一対の紐、ポケット、指拭きを一体にまとめて設けたので、外れにくく衣服が汚れないので安心である。ポケットは、食べ溢した飲食物を能率よく受止めて収納し床を汚さないので滑ることがなく安全である。食事後はゴミ袋として使用でき衛生的で便利である。指拭きは、何時でも指の汚れを拭き取れるので清潔、快適で丸められて放置されることがなく見苦しくない。
【発明を実施するための最良の形態】
【０００８】  この発明の一実施形態を、図１、図２に示す。
このナプキンの本体１は、図３を時計方向に９０度回転させた紙製の使い捨てである。
また、この本体１は、図１示すように、表紙２と裏紙３の縁４を重ねて圧着して切込み５、６、７、８、９、１０、１１、１２、１３、１４、１５を設け、上端部Ａに左紐１６と右紐１７を切込み５、７、９と６、８、１０を本体１から切離して設け、左端部Ｂと右端部Ｄに切込み群１３を解してなる左指拭き１２と右指拭き１１を設け、下端部Ｃに切込み１４を袋返してなるポケット１５に吸湿処理剤１８を備える。
【実施形態の効果】
【０００９】  この実施形態によれば、切込み５、６、７、８、９、１０、１１、１２、１３、１４、１５の働きで、食事をするとき、一対の紐、ポケット、指拭きが素早く簡単に作れ、誰もが何時でも使えて便利で機能性、汎用性に優れる。一対の紐１６と１７の働きで、本体１を首の後ろで結べ装着性に優れるので外れにくく食べ溢した飲食物や飛び散ったつゆで衣服を汚さない。
【００１０】  また、ポケット１５の働きで、食べ溢した飲食物を能率よく受止めて収納し水分を吸湿剤で処理して床を汚さないので滑る危険がなく衛生的で安全である。指拭き１１と１２と切込み群１３の働きで、汚れた指を効率良く拭けるので払拭性に優れ快適である。
【００１１】  また、このナプキンは、
【０００９】
【００１０】の理由により、学校、病院、養護施設等に常備して、健常者、被介護者、老若男女を問わず誰でも使用することができる。映画館、遊園地、イベント会場、乗り物等のアウトドアに携帯でき幅広く使えて便利である。
また、衣類やリネン等の汚れ防止による経済効果が期待できる。
【他の実施形態】
【００１２】  図１の実施形態では、四角形であるが、他の実施形態では、四角形以外の形を使用したものでも良い。
【００１３】  図１の実施形態では、一対の紐、ポケット、指拭きの３つの機能を有しているが、他の実施形態では、何れかの機能を１つ或いは２つを選択して使用したものでも良い。
【００１４】  図１の実施形態では、紙素材を使用しているが、他の実施形態では、紙以外の素材を使用したものでも良い。
【００１５】  図１の実施形態では、２枚の紙を圧着して使用しているが、他の実施形態では、複数の紙を圧着以外の方法を用いて接着して使用したものでも良い。
【００１６】  図１の実施形態では、紐１５、１６の切込みを縁４の内側に入れているが、他の実施形態では、縁４の内部に入れて使用したものでも良い。
【００１７】  図１の実施形態では、一対の紐を結着する形態としているが、他の実施形態では、決着以外の形態を使用して固定したものでも良い。
【００１８】  図１の実施形態では、ポケットを裏から袋返しているが、他の実施形態では、表紙の切込みを切離して使用したものでも良い。
【００１９】  図１の実施形態では、粉末状の吸湿剤を使用しているが、他の実施形態では、固形あるいは、顆粒状のものまたは、吸湿能力をもった材質を使用したものでも良い。
【００２０】  図１の実施形態では、指拭きに複数の切込みを入れているが、他の実施形態では、複数の切込みを入れないで使用したものでも良い。
【００２１】  図１の実施形態では、衣服の汚損防止を主としているが、他の実施形態では、テーブルの汚損防止及び塵、埃、蝿等の虫から飲食物を守るために使用したものでも良い。
【００２２】  図１の実施形態では、本体１は無地紙を使用しているが、他の実施形態では、模様、イラスト、アニメキャラクター、絵画、店名、コマーシャル等を印刷して使用したものでも良い。
【図面の簡単な説明】
【００２３】
【図１】実施例のナプキン機能説明図である。
【図２】実施例のナプキン斜視図である。
【図３】従来のナプキン機能説明図である。
【符号の説明】
【００２４】  １  本体  ２  表紙  ３  裏紙  ４  縁  ５  切込み（右上）  ６  切込み（左上）  ７  切込み（右下）  ８  切込み（左下）  ９  切込み（右縁）  １０  切込み（左縁）  １１  指拭き（左）  １２  指拭き（右）  １３  切込み群  １４  切込み（ポケット返し）  １５  ポケット  １６  左紐  １７  右紐  １８  吸湿剤
Ａ  上端部  Ｂ  左端部  Ｃ  下端部  Ｄ  右端部
【図１】
2005312867.tif 000003
【図２】
2005312867.tif 000004
【図３】
2005312867.tif 000005